(57)【要約】【課題】一般購入者は店頭販売商品を良好に閲覧することができ、例えば、その店頭販売商品への一般購入者の注意を良好に喚起できる商品陳列システムを提供する。【解決手段】本体支持支柱２２０で回転自在に軸支されている陳列システム本体３００に店頭販売商品ＳＴＰが収容される。この陳列システム本体３００を一般購入者が回転させることで、複数種類の店頭販売商品ＳＴＰを自由に閲覧できる。このとき、陳列システム本体３００の回転に連動して支柱発電機２５０が発生する電力で、陳列システム本体３００の外面３０２に位置する発光素子３２０が点灯する。このため、一般購入者が予期しない状態が発生することになり、配列されている店頭販売商品ＳＴＰへの注意が良好に喚起される。【選択図】図１
2010187999.tif 000002
【特許請求の範囲】
【請求項１】
前後方向に扁平な直方体状の店頭販売商品を陳列する商品陳列システムであって、
床面に設置される本体ベース部材と、
前記本体ベース部材から上方に突出している本体支持支柱と、
前記本体支持支柱に左右方向に回転自在に軸支されている回転体状の陳列システム本体と、
前記陳列システム本体の回転により前面となる複数の外面の各々に配列されていて前記店頭販売商品を保持する複数の商品保持機構と、
前記本体支持支柱に対する前記陳列システム本体の回転に連動して電力を発生する支柱発電機と、
前記陳列システム本体の外面に位置して前記電力で点灯する発光素子と、
を有する商品陳列システム。
【請求項２】
複数の前記発光素子が複数の前記商品保持機構の位置に個々に配置されている請求項１に記載の商品陳列システム。
【請求項３】
前記商品保持機構は、前後方向に配列された前記店頭販売商品を最前部から一個ずつ上方に取出自在に保持し、
前後方向に配列されて前記商品保持機構に保持されている前記店頭販売商品を最後部から最前部まで押圧してスライド移動させる商品押圧機構を、さらに有する請求項１または２に記載の商品陳列システム。
【請求項４】
複数の前記商品保持機構は、前記商品押圧機構が搭載されている上面開口のボックス状に各々形成されており、
前記陳列システム本体は、少なくとも一個の前記店頭販売商品を上方に取出自在な位置で複数の前記商品保持機構が個々に着脱自在に装着される複数の開口部が外面に形成されている請求項３に記載の商品陳列システム。
【請求項５】
前記商品押圧機構が、
前記商品保持機構の底部に位置する前後方向に細長いガイドレール機構と、
前記ガイドレール機構に前後方向にスライド自在に支持されているスライダ押圧部材と、
前記スライダ押圧部材を弾発的に前方に付勢している部材付勢機構と、
を有する請求項３または４に記載の商品陳列システム。
【請求項６】
前記部材付勢機構は、弾発的に巻回する前後方向に細長い板バネからなり、
前記板バネは、前端が前記ガイドレール機構の前端に連結されていて後端を中心に前方に巻回する部分が前記スライダ押圧部材に後方から当接しており、前記スライダ押圧部材の下部から前方に位置する部分が前記ガイドレール機構の開口孔内に位置している請求項５に記載の商品陳列システム。
【請求項７】
前記商品保持機構は、上面が開口したスリット状のカードポケットが前端に形成されている請求項３ないし６の何れか一項に記載の商品陳列システム。
【請求項８】
前記陳列システム本体の上面中央に上下方向にスライド自在に支持されているアイキャッチ部材と、
前記本体支持支柱に対する前記陳列システム本体の回転に連動して前記アイキャッチ部材を上下方向に往復移動させる上下連動機構とを、
さらに有する請求項１ないし７の何れか一項に記載の商品陳列システム。
【請求項９】
前記上下連動機構は、
前記陳列システム本体の内部に位置して前記本体支持支柱の上端に形成されている上面が傾斜した円筒カム部材と、
前記陳列システム本体に上下方向にスライド自在かつ左右方向に回転不能に支持されていて前記円筒カム部材の傾斜した上面を相対移動する上下移動部材と、
前記上下移動部材と前記アイキャッチ部材とを連結している移動連結部材と、
を有する請求項８に記載の商品陳列システム。
【請求項１０】
前記上下連動機構は、
前記本体支持支柱に対する前記陳列システム本体の回転に連動して電力を発生する支柱発電機と、
前記電力で前記アイキャッチ部材を上下方向にスライド移動させる駆動ソレノイドと、
を有する請求項８に記載の商品陳列システム。
【請求項１１】
前記店頭販売商品がタバコパックとタバコカートンとの少なくとも一方からなる請求項１ないし１０の何れか一項に記載の商品陳列システム。
【発明の詳細な説明】
【技術分野】
【０００１】
本発明は、前後方向に扁平な直方体状の店頭販売商品を陳列する商品陳列システムに関し、特に、陳列システム本体が回転自在に軸支されている商品陳列システムに関する。
【背景技術】
【０００２】
現在、コンビニエンスストアなどのサプライチェーン店舗では、いわゆる什器や店頭収容ラックなどを利用して様々な店頭販売商品が陳列されて販売されている。一般的なサプライチェーン店舗では、ユーザ移動スペースに什器や店頭収容ラックが設置されており、レジ店員スペースに販売処理装置が設置されている。
【０００３】
そこで、一般購入者は所望の店頭販売商品を什器や店頭収容ラックから取得してレジ店員スペースまで移送する。店頭販売商品であるタバコパックやタバコカートンなどは、レジ店員スペースに設置された店頭収容ラックに収容されていることも多々ある。一方、最近ではユーザ移動スペースにキャンペーン用の専用簡易什器を設置し、その専用簡易什器でタバコパックを陳列していることもある。
【０００４】
現在、上述のような什器や店頭収容ラックとして各種の提案がある。例えば、棚板の長さに関係なく、棚板下方の商品陳列スペースを均一に、かつ効果的に照明し得る照明装置を搭載した商品陳列システムの提案がある。
【０００５】
その商品陳列システムは、棚板の下面に設けることにより、棚板下方の商品陳列スペースを照明するようにした。その照明装置は、棚板の下面に、その長手方向の寸法とほぼ等しい長さの下方に開口する照明ケースを取り付け、該照明ケース内における少なくとも両側端部を含む長手方向の複数箇所に、発光ダイオードを配設する（例えば、特許文献１参照）。
【０００６】
また、不足印鑑の補充等、在庫管理に関する業務を迅速かつ容易に行えるようにした、印鑑陳列システムが提案されている。その印鑑陳列システムでは、本体に複数の陳列枠を立設し、各陳列枠の内部には、一定数の印鑑を取り出し可能な状態に収容するブロックケースを着脱自在に装填されるようにして、印鑑をブロックケースの単位で扱えるようにされている。
【０００７】
このため、いくつかの印鑑の抜けたブロックケースは陳列枠から抜き取って、所要の印鑑が揃って収容されている完品のブロックケースと入れ替えればよい（例えば、特許文献２参照）。
【０００８】
さらに、ネットで形成したボックス状の本体を支柱で回転自在に軸支し、その本体ネットに店頭販売商品を懸架させる構造の、回転式什器なども販売されている(例えば、非特許文献１参照)。
【先行技術文献】
【特許文献】
【０００９】
【特許文献１】特開２００８−２２９２１５号公報
【特許文献２】特開２００３−１５３７７７号公報
【非特許文献】
【００１０】
【非特許文献１】"回転什器  スタンドディスプレイラック  陳列棚"、［２００９年  １月２９日検索］インターネット<ＵＲＬ：http://store.shopping.yahoo.co.jp/zakkayamaru/2450.html>
【発明の概要】
【発明が解決しようとする課題】
【００１１】
上述のように各種の商品陳列システムが提案されている。例えば、特許文献１などの商品陳列システムは、照明ユニットが内蔵されているので、収容している店頭販売商品を良好に照明することができる。
【００１２】
しかし、上述の商品陳列システムは、単純に店頭販売商品を照明しているだけである。このため、例えば、一般購入者の予期しない状態を発生させて注意を喚起し、販売を促進する構造などは想定されていない。
【００１３】
本発明は上述のような課題に鑑みてなされたものであり、一般購入者の予期しない状態を発生させ、例えば、収容している店頭販売商品への注意を良好に喚起するようなことができる商品陳列システムを提供するものである。
【課題を解決するための手段】
【００１４】
本発明の商品陳列システムは、前後方向に扁平な直方体状の店頭販売商品を陳列する商品陳列システムであって、床面に設置される本体ベース部材と、本体ベース部材から上方に突出している本体支持支柱と、本体支持支柱に左右方向に回転自在に軸支されている回転体状の陳列システム本体と、陳列システム本体の回転により前面となる複数の外面の各々に配列されていて店頭販売商品を保持する複数の商品保持機構と、本体支持支柱に対する陳列システム本体の回転に連動して電力を発生する支柱発電機と、陳列システム本体の外面に位置して電力で点灯する発光素子と、を有する。
【００１５】
従って、本発明の商品陳列システムでは、床面に設置される本体ベース部材から上方に突出している本体支持支柱で、店頭販売商品を収容する回転体状の陳列システム本体が左右方向に回転自在に軸支されている。ただし、本体支持支柱に対する陳列システム本体の回転に連動して支柱発電機が電力を発生し、その電力で陳列システム本体の外面に位置する発光素子が点灯する。このため、一般購入者が手動などで陳列システム本体を回転させることにより、その複数の外面に複数の商品保持機構で配列されている複数種類の店頭販売商品を自由に閲覧できる。このとき、陳列システム本体の外面の発光素子が回転に連動して点灯するので、一般購入者が予期しない状態が発生する。
【００１６】
また、上述のような商品陳列システムにおいて、複数の発光素子が複数の商品保持機構の位置に個々に配置されていてもよい。
【００１７】
また、上述のような商品陳列システムにおいて、商品保持機構は、前後方向に配列された店頭販売商品を最前部から一個ずつ上方に取出自在に保持し、前後方向に配列されて商品保持機構に保持されている店頭販売商品を最後部から最前部まで押圧してスライド移動させる商品押圧機構を、さらに有してもよい。
【００１８】
また、上述のような商品陳列システムにおいて、複数の商品保持機構は、商品押圧機構が搭載されている上面開口のボックス状に各々形成されており、陳列システム本体は、少なくとも一個の店頭販売商品を上方に取出自在な位置で複数の商品保持機構が個々に着脱自在に装着される複数の開口部が外面に形成されていてもよい。
【００１９】
また、上述のような商品陳列システムにおいて、商品押圧機構が、商品保持機構の底部に位置する前後方向に細長いガイドレール機構と、ガイドレール機構に前後方向にスライド自在に支持されているスライダ押圧部材と、スライダ押圧部材を弾発的に前方に付勢している部材付勢機構と、を有してもよい。
【００２０】
また、上述のような商品陳列システムにおいて、部材付勢機構は、弾発的に巻回する前後方向に細長い板バネからなり、板バネは、前端がガイドレール機構の前端に連結されていて後端を中心に前方に巻回する部分がスライダ押圧部材に後方から当接しており、スライダ押圧部材の下部から前方に位置する部分がガイドレール機構の開口孔内に位置していてもよい。
【００２１】
また、上述のような商品陳列システムにおいて、商品保持機構は、上面が開口したスリット状のカードポケットが前端に形成されていてもよい。
【００２２】
また、上述のような商品陳列システムにおいて、陳列システム本体の上面中央に上下方向にスライド自在に支持されているアイキャッチ部材と、本体支持支柱に対する陳列システム本体の回転に連動してアイキャッチ部材を上下方向に往復移動させる上下連動機構とを、さらに有してもよい。
【００２３】
また、上述のような商品陳列システムにおいて、上下連動機構は、陳列システム本体の内部に位置して本体支持支柱の上端に形成されている上面が傾斜した円筒カム部材と、陳列システム本体に上下方向にスライド自在かつ左右方向に回転不能に支持されていて円筒カム部材の傾斜した上面を相対移動する上下移動部材と、上下移動部材とアイキャッチ部材とを連結している移動連結部材と、を有してもよい。
【００２４】
また、上述のような商品陳列システムにおいて、上下連動機構は、本体支持支柱に対する陳列システム本体の回転に連動して電力を発生する支柱発電機と、電力でアイキャッチ部材を上下方向にスライド移動させる駆動ソレノイドと、を有してもよい。
【００２５】
また、上述のような商品陳列システムにおいて、店頭販売商品がタバコパックとタバコカートンとの少なくとも一方からなってもよい。
【００２６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２７】
さらに、本発明では前後左右上下の方向を規定しているが、これは本発明の構成要素の相対関係を簡単に説明するために便宜的に規定したものであり、本発明を実施する場合の製造時や使用時の方向を限定するものではない。
【００２８】
特に、各部の方向は各部ごとでよく、例えば、ある部分の前方と他の部分の前方とが相反していることも許容する。また、可動する部分の方向などは、必要により、その部分の代表的な使用状態での方向などで請求項には記載し、それを実施の形態で補足するものとする。
【発明の効果】
【００２９】
本発明の商品陳列システムでは、床面に設置される本体ベース部材から上方に突出している本体支持支柱で、店頭販売商品を収容する回転体状の陳列システム本体が左右方向に回転自在に軸支されている。ただし、本体支持支柱に対する陳列システム本体の回転に連動して支柱発電機が電力を発生し、その電力で陳列システム本体の外面に位置する発光素子が点灯する。このため、一般購入者が手動などで陳列システム本体を回転させることにより、その複数の外面に複数の商品保持機構で配列されている複数種類の店頭販売商品を自由に閲覧できる。このとき、陳列システム本体の外面の発光素子が回転に連動して点灯するので、一般購入者が予期しない状態が発生する。従って、店頭販売商品への注意が良好に喚起されることになり、例えば、その販売を良好に促進するようなことができる。
【図面の簡単な説明】
【００３０】
【図１】本発明の実施の形態の商品陳列システムであるタバコ陳列システムの外観を示す斜視図である。
【図２】タバコ陳列システムの陳列システム本体と商品保持機構との関係を示す分解斜視図である。
【図３】商品保持機構の外観を示す斜視図である。
【図４】商品保持機構に店頭販売商品であるタバコパックを収容する状態を示す分解斜視図である。
【図５】商品保持機構にタバコパックが収容された状態を示す斜視図である。
【図６】商品保持機構での商品押圧機構の動作を示す縦断側面図である。
【図７】アイキャッチ部材と上下連動機構との構造を示す斜視図である。
【図８】上下連動機構がアイキャッチ部材を上下移動させる状態を示す斜視図である。
【図９】一変形例のタバコ陳列システムの外観を示す斜視図である。
【図１０】商品保持機構の外観を示す斜視図である。
【発明を実施するための形態】
【００３１】
本発明の実施の一形態を図面を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００３２】
本実施の形態の商品陳列システムであるタバコ陳列システム１０００は、例えば、サプライチェーン店舗であるコンビニエンスストアのユーザ移動スペースなどに設置され(図示せず)、図１に示すように、前後方向に扁平な直方体状の店頭販売商品であるタバコパックＳＴＰを陳列する。
【００３３】
本実施の形態のタバコ陳列システム１０００は、床面に設置される本体ベース部材２１０と、本体ベース部材２１０から上方に突出している本体支持支柱２２０と、本体支持支柱２２０に左右方向に回転自在に軸支されていて店頭販売商品を収容する回転体状の陳列システム本体３００と、陳列システム本体３００の回転により前面となる複数の外面の各々に配列されていて前後方向に配列されたタバコパックＳＴＰを最前部から一個ずつ上方に取出自在に保持する複数の商品保持機構１００と、図６に示すように、前後方向に配列されて商品保持機構１００に保持されているタバコパックＳＴＰを最後部から最前部まで押圧してスライド移動させる商品押圧機構１１０と、を有する。
【００３４】
より具体的には、複数の商品保持機構１００は、図２ないし図６に示すように、商品押圧機構１１０が搭載されている上面開口のボックス状に各々形成されている。そこで、陳列システム本体３００は、図２に示すように、少なくとも一個のタバコパックＳＴＰを上方に取出自在な位置で複数の商品保持機構１００が個々に着脱自在に装着される複数の開口部３１０が外面に形成されている。
【００３５】
陳列システム本体３００は、上述のように細長形状の商品保持機構１００を配列させて収納するため、図１に示すように、平面形状が十字型の回転体状に形成されている。そこで、その四つの凸部３０１の回転により前面となる四つの外面３０２の各々に、図２に示すように、複数の開口部３１０が形成されている。
【００３６】
なお、陳列システム本体３００は、上述のように四つの凸部３０１が形成されているので、その八つの側面３０３には、例えば、商品宣伝ポスタＣＭＰが交換自在に貼着されている。
【００３７】
現在、タバコパックＳＴＰは、上下高に多少の高低はあるものの、一般的に前後長と左右幅が共通した直方体状に形成されている。そして、本実施の形態では、タバコパックＳＴＰの最大面を前面および後面、最小面を上面および下面、と規定する。
【００３８】
なお、一般的にタバコパックＳＴＰは前面(および後面)を代表面として銘柄などが表記されている。このため、その前面が前方に位置する適正な方向の状態で陳列されることが好ましい。
【００３９】
そこで、商品保持機構１００は、上述のように方向が適正な状態の複数のタバコパックＳＴＰを前後方向に配列した状態で収容する。この商品保持機構１００は、無色透明な樹脂で形成されている。また、商品保持機構１００の前端および後端には、図３および図６に示すように、上面が開口したスリット状のカードポケット１０１，１０２が形成されている。
【００４０】
前方のカードポケット１０１には、例えば、顧客に提示するタバコパックＳＴＰの値札や宣伝カードなどが収容される(図示せず)。後方のカードポケット１０２には、例えば、店員が確認するタバコパックＳＴＰの情報カードなどが収容される(図示せず)。
【００４１】
そして、商品保持機構１００は、図３ないし図６に示すように、底部に商品押圧機構１１０が一体に形成されている。より具体的には、商品押圧機構１１０は、商品保持機構１００の底部に位置する前後方向に細長いガイドレール機構１１１と、ガイドレール機構１１１に前後方向にスライド自在に支持されているスライダ押圧部材１１２と、スライダ押圧部材１１２を弾発的に前方に付勢している部材付勢機構１１３と、を有する。
【００４２】
ガイドレール機構１１１は、商品保持機構１００の保持機構本体１０３の底部に、左右方向での中央に前後方向に細長い開口孔として形成されている。スライダ押圧部材１１２は、保持機構本体１０３のガイドレール機構１１１の左右縁部にスライド自在に係合する凹溝が下部左右に形成されている。
【００４３】
このため、スライダ押圧部材１１２の下面は保持機構本体１０３の下面より下方に位置している。しかし、スライダ押圧部材１１２の下面より下方に位置する凸部１０４が、保持機構本体１０３の下面の左右両側に形成されている。なお、保持機構本体１０３のガイドレール機構１１１の後端には、スライダ押圧部材１１２の下部が自在に挿入される拡開部が形成されている。
【００４４】
部材付勢機構１１３は、弾発的に巻回する前後方向に細長い板バネからなる。この板バネからなる部材付勢機構１１３は、前端がガイドレール機構１１１の前端に連結されている。
【００４５】
部材付勢機構１１３は、後端を中心に前方に巻回する部分が、スライダ押圧部材１１２に後方から当接しており、図４に示すように、スライダ押圧部材１１２の下部から前方に位置する部分が、開口孔からなるガイドレール機構１１１の内部に位置している。
【００４６】
このため、スライダ押圧部材１１２は部材付勢機構１１３により弾発的に前方に付勢されており、スライダ押圧部材１１２から引き出された部材付勢機構１１３は、商品保持機構１００に収容されるタバコパックＳＴＰの底面に接触しない。
【００４７】
商品保持機構１００の底面後部には、段差１０５が形成されている。この段差１０５に係合することにより、スライダ押圧部材１１２は部材付勢機構１１３の張力に抗して停止する。
【００４８】
また、商品保持機構１００の底面前部には、左右方向と直交する断面形状が三角形の凸部１０７が形成されている。この凸部１０７は一個のタバコパックＳＴＰの前後長と同一の前後長に形成されている。
【００４９】
このため、商品保持機構１００に収容されてスライダ押圧部材１１２により前方に圧接された複数のタバコパックＳＴＰは、図５および図６に示すように、最前部の一個のみ上方に突出した状態となる。
【００５０】
商品保持機構１００は、上述のように底面前部に凸部１０７が形成されているが、これより後方のスライダ押圧部材１１２がスライド移動する範囲では底面が凸部を有しない平面からなる。
【００５１】
また、本実施の形態のタバコ陳列システム１０００は、図１および図８に示すように、陳列システム本体３００の上面中央に上下方向にスライド自在に支持されているアイキャッチ部材２３０と、図７に示すように、本体支持支柱２２０に対する陳列システム本体３００の回転に連動してアイキャッチ部材２３０を上下方向に往復移動させる上下連動機構２４０とを、さらに有する。
【００５２】
上下連動機構２４０は、陳列システム本体３００の内部に位置して本体支持支柱２２０の上端に形成されている上面が傾斜した円筒カム部材２４１と、陳列システム本体３００に上下方向にスライド自在かつ左右方向に回転不能に支持されていて円筒カム部材２４１の傾斜した上面を相対移動する上下移動部材２４２と、上下移動部材２４２とアイキャッチ部材２３０とを連結している移動連結部材２４３と、を有する。
【００５３】
なお、上下移動部材２４２は、例えば、円筒カム部材２４１の上面を転動する車輪からなり、移動連結部材２４３は、例えば、車輪からなる上下移動部材２４２を軸支するアーム状に形成されている。
【００５４】
なお、本実施の形態のタバコ陳列システム１０００では、上述の上下連動機構２４０の動作を円滑とするため、アイキャッチ部材２３０の底部にサポートスプリング２３１が装着されている。
【００５５】
さらに、本実施の形態のタバコ陳列システム１０００は、本体支持支柱２２０に対する陳列システム本体３００の回転に連動して電力を発生する支柱発電機２５０と、陳列システム本体３００の外面３０２に位置して電力で点灯する発光素子３２０とを、さらに有する。
【００５６】
その複数の発光素子３２０は、例えば、図２に示すように、複数の商品保持機構１００の各々の上部に個々に配置されている。なお、その発光素子３２０は、例えば、極めて省電力なＬＥＤ(Light Emitting Diode)からなる。
【００５７】
上述のような構成において、本実施の形態の商品陳列システム１０００は、前述のようにコンビニエンスストアのユーザ移動スペースなどに設置され(図示せず)、店頭販売商品であるタバコパックＳＴＰの陳列に利用される。
【００５８】
本実施の形態の商品陳列システム１０００では、図１に示すように、陳列システム本体３００の四つの外面３０２の各々に、複数の商品保持機構１００でタバコパックＳＴＰが前面を外側に配列されている。このため、一般購入者は陳列システム本体３００の外面３０２に配列されている複数のタバコパックＳＴＰの銘柄画像を一目で確認することができる。
【００５９】
しかも、上述のような陳列システム本体３００が、床面に設置される本体ベース部材２１０から上方に突出している本体支持支柱２２０で、左右方向に回転自在に軸支されている。
【００６０】
このため、一般購入者は所望により手動操作で陳列システム本体３００を左右方向に回転させることにより、四つの外面３０２の各々に配列されている各種のタバコパックＳＴＰの銘柄画像を確認することができる。
【００６１】
そこで、所望のタバコパックＳＴＰを発見した一般購入者は、そのタバコパックＳＴＰを取得することになる。このとき、陳列システム本体３００に装着されている商品保持機構１００は、一箱が外側に突出した状態でタバコパックＳＴＰを保持している。
【００６２】
このため、一般購入者は前後方向に配列されて収容されているタバコパックＳＴＰを一箱だけ上方に取得することができる。そして、このように最前部の一箱のタバコパックＳＴＰが取得されると、前後方向に配列されて商品保持機構１００に保持されているタバコパックＳＴＰを商品押圧機構１１０が最後部から最前部まで押圧してスライド移動させる。
【００６３】
このため、一般購入者が手動などで陳列システム本体３００を回転させることにより、その四つの外面３０２に複数の商品保持機構１００で配列されている複数種類のタバコパックＳＴＰを自由に閲覧できる。
【００６４】
そこで、一般購入者が所望のタバコパックＳＴＰを商品保持機構１００の最前部から上方に取得すると、その後方に配列されているタバコパックＳＴＰが商品押圧機構１１０により最前部までスライド移動される。
【００６５】
このため、陳列システム本体３００の外面３０２の商品保持機構１００にはタバコパックＳＴＰが最前部に常時配置されることになる。従って、一般購入者はタバコパックＳＴＰを良好に閲覧することができ、一般購入者に取得されたタバコパックＳＴＰが自動的に最前部まで補充される。
【００６６】
さらに、商品陳列システム１０００の四つの外面３０２には、タバコパックＳＴＰが銘柄画像を外側にした状態で常時配列される。このため、前述のように一般購入者は陳列システム本体３００に収容されている複数種類のタバコパックＳＴＰを簡単に閲覧することができる。
【００６７】
なお、商品保持機構１００は、図６に示すように、最前部の一箱のタバコパックＳＴＰを、左右方向と直交する断面形状が三角形の凸部１０７で上方に変位させて保持する。このため、上述のように一般購入者が最前部の一箱のタバコパックＳＴＰを上方に取得することが、より容易に実行される。
【００６８】
また、上述のように商品保持機構１００にタバコパックＳＴＰが収容されているならば、その前面が外側に露出した状態とされるので、商品保持機構１００でのタバコパックＳＴＰの欠品も容易に確認される。
【００６９】
その場合、本実施の形態のタバコ陳列システム１０００では、図２に示すように、陳列システム本体３００の開口部３１０からカセット状の商品保持機構１００を取り出し、そこに複数のタバコパックＳＴＰを補充する。
【００７０】
その場合、図３および図６(ａ)に示すように、スライダ押圧部材１１２は部材付勢機構１１３の張力により最前部まで付勢されているが、図４に示すように、商品保持機構１００の底面後部の段差１０５に係合させることで最後部に停止する。このため、商品保持機構１００に複数のタバコパックＳＴＰを容易に補充することができる。
【００７１】
このようにタバコパックＳＴＰを補充してからスライダ押圧部材１１２を段差１０５との係合から解除すると、図５および図６(ｂ)に示すように、スライダ押圧部材１１２は部材付勢機構１１３の張力によりタバコパックＳＴＰを最前部まで押圧する。このため、最前部の一箱のタバコパックＳＴＰは凸部１０７により上方に突出した状態となる。
【００７２】
図２に示すように、このような状態の商品保持機構１００を陳列システム本体３００の開口部３１０に装着することで、タバコパックＳＴＰの補充が完了する。なお、商品保持機構１００は、前端のカードポケット１０１に値札などを挿入しておけるので(図示せず)、一般消費者の利便性を向上させることができる。
【００７３】
さらに、商品保持機構１００は、後端のカードポケット１０２にタバコパックＳＴＰの説明カードなどを挿入しておけるので(図示せず)、例えば、その商品保持機構１００には、どの銘柄のタバコパックＳＴＰを補充するのか、その商品保持機構１００は、どの開口部３１０に装着するのか、などを表記しておき、店舗作業者の作業性を向上させるようなことができる。
【００７４】
なお、部材付勢機構１１３は、弾発的に巻回する前後方向に細長い板バネからなり、スライダ押圧部材１１２の下部から前方に位置する部分がガイドレール機構１１１の開口孔内に位置している。
【００７５】
このため、前後方向に配列されて商品保持機構１００に収容された複数のタバコパックＳＴＰを最後部から最前部まで容易にスライド移動させることができ、そのタバコパックＳＴＰの底面を、板バネからなる部材付勢機構１１３が損傷するようなことがない。
【００７６】
なお、タバコパックＳＴＰは軽量で定型なので、上述のように前後方向に配列させて商品保持機構１００に収容することが容易であり、板バネからなる部材付勢機構１１３で最後部から最前部までスライド移動させることも容易である。
【００７７】
また、本実施の形態のタバコ陳列システム１０００は、図７に示すように、陳列システム本体３００の上面中央に上下方向にスライド自在かつ左右方向に回転不能に支持されているアイキャッチ部材２３０の上下移動部材２４２が、本体支持支柱２２０の上端の円筒カム部材２４１の傾斜した上面に陳列システム本体３００の内部で係合している。
【００７８】
このため、前述のようにタバコパックＳＴＰを閲覧するために一般購入者が陳列システム本体３００を回転させると、上下移動部材２４２が円筒カム部材２４１の傾斜した上面を転動することにより、図８に示すように、アイキャッチ部材２３０が上下移動して陳列システム本体３００の上面中央に出没する。
【００７９】
このアイキャッチ部材２３０の外周面には、例えば、タバコパックＳＴＰの宣伝などが表記されており、上述のように上下移動して陳列システム本体３００の上面中央に出没する。
【００８０】
従って、一般購入者が予期しない動作をアイキャッチ部材２３０が発生することになり、例えば、陳列システム本体３００の周囲の一般購入者の注意を良好に喚起してタバコパックＳＴＰの販売を促進するようなことができる。
【００８１】
特に、上述のように上下連動機構２４０は、アイキャッチ部材２３０を上面が傾斜した円筒カム部材２４１の相対回転で上下移動させる。このため、その構造が簡単で作動が確実である。
【００８２】
しかも、図７に示すように、アイキャッチ部材２３０はサポートスプリング２３１で下方から押圧されているので、その車輪からなる上下移動部材２４２に作用する重量が軽減されており、円筒カム部材２４１の相対回転により容易に上下することができる。
【００８３】
また、本実施の形態のタバコ陳列システム１０００は、本体支持支柱２２０の支柱発電機２５０が、陳列システム本体３００の回転に連動して電力を発生する。そして、陳列システム本体３００の外面３０２で複数の商品保持機構１００の位置に個々に配置されている発光素子３２０が、その電力で点灯する。
【００８４】
このため、一般購入者が陳列システム本体３００を手動で回転させると、陳列システム本体３００の外面３０２で商品保持機構１００の上方に位置する発光素子３２０が点灯するので、一般購入者が予期しない状態が発生することになり、配列されているタバコパックＳＴＰへの注意が良好に喚起されることになる。
【００８５】
しかも、その発光素子３２０がＬＥＤからなるので省電力であり、上述のように一般購入者による陳列システム本体３００の手動回転により発電される電力でも、良好に点灯することができる。
【００８６】
さらに、本実施の形態のタバコ陳列システム１０００は、上述のように商品保持機構１００がタバコパックＳＴＰを前後方向に配列させて収容するため、図１に示すように、陳列システム本体３００は複数の商品保持機構１００を配列させて収容する四つの凸部３０１を有している。
【００８７】
このため、その凸部３０１の側面３０３はデッドスペースとなるが、図１に示すように、その部分には商品宣伝ポスタＣＭＰなどを配置することができる。なお、このような商品宣伝ポスタＣＭＰを、上述の発光素子３２０などで発光させることもできる(図示せず)。
【００８８】
なお、本発明は本実施の形態に限定されるものではなく、その要旨を逸脱しない範囲で各種の変形を許容する。例えば、上記形態では複数の発光素子３２０が複数の商品保持機構１００の位置ごとに陳列システム本体３００の外面３０２に配列されていることを例示した。
【００８９】
しかし、上述のような発光素子３２０が、例えば、アイキャッチ部材２３０に内蔵されていてもよい(図示せず)。この場合、一般購入者が陳列システム本体３００を手動で回転させると、その上面中央にアイキャッチ部材２３０が出没するとともに点灯するので、その宣伝効果を向上させることができる。
【００９０】
また、上記形態では店頭販売商品としてタバコパックＳＴＰを前面が外側となる状態で前後方向に配列させて商品保持機構１００に収容することを例示した。しかし、図９および図１０に例示するタバコ陳列システム１１００のように、商品保持機構４００が店頭販売商品としてタバコカートンＳＴＫを収容してもよい。
【００９１】
より具体的には、その商品保持機構４００は、図１０に示すように、タバコカートンＳＴＫを銘柄画像が表記されている最大面を前面として、左右方向に細長い状態で複数を前後方向に配列させて収容する。
【００９２】
この商品保持機構４００の底部には、左右一対の商品押圧機構１１０が一体に形成されており、上述のように収容されているタバコカートンＳＴＫを最後部から最前部までスライド移動させる。
【００９３】
このような商品保持機構４００が、図９に示すように、陳列システム本体５００の開口部５１０に着脱自在に装着される。なお、このタバコ陳列システム１１００でも、一箱のタバコカートンＳＴＫが突出した状態で商品保持機構４００が陳列システム本体５００に装着される。
【００９４】
さらに、上記形態では前後方向に細長い商品保持機構１００を上下左右に配列させて収容するため、図１に示すように、陳列システム本体３００は平面形状が十字型で四つの凸部３０１を有することを例示した。
【００９５】
しかし、図９および図１０に例示するタバコ陳列システム１１００のように、陳列システム本体５００を平面形状が正方形となる直方体状に形成し、その四つの外面５０１の左右片側に商品保持機構１００，４００を配置しておくこともできる。この場合、陳列システム本体５００の外面５０１の左右片側がデッドスペースとなるので、やはり商品宣伝ポスタＣＭＰなどを配置することができる。
【００９６】
なお、例示するタバコ陳列システム１１００では、タバコパックＳＴＰとタバコカートンＳＴＫとの両方を収納する構造となっているが、例えば、タバコカートンＳＴＫのみを収納する構造(図示せず)なども実施可能である。
【００９７】
また、上記形態では上下連動機構２４０が本体支持支柱２２０の円筒カム部材２４１の傾斜した上面でアイキャッチ部材２３０を機構的に上下移動させることを例示した。しかし、本体支持支柱２２０の支柱発電機２５０が発生する電力でアイキャッチ部材２３０を上下方向にスライド移動させる駆動ソレノイド(図示せず)を有してもよい。
【００９８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００９９】
１００    商品保持機構
１０１    カードポケット
１０２    カードポケット
１０３    保持機構本体
１０４    凸部
１０５    段差
１０７    凸部
１１０    商品押圧機構
１１１    ガイドレール機構
１１２    スライダ押圧部材
１１３    部材付勢機構
２１０    本体ベース部材
２２０    本体支持支柱
２３０    アイキャッチ部材
２３１    サポートスプリング
２４０    上下連動機構
２４１    円筒カム部材
２４２    上下移動部材
２４３    移動連結部材
２５０    支柱発電機
３００    陳列システム本体
３０１    凸部
３０２    外面
３０３    側面
３１０    開口部
３２０    発光素子
４００    商品保持機構
５００    陳列システム本体
５０１    外面
５１０    開口部
１０００    タバコ陳列システム
１１００    タバコ陳列システム
ＣＭＰ    商品宣伝ポスタ
ＳＴＫ    タバコカートン
ＳＴＰ    タバコパック
【図１】
2010187999.tif 000003
【図２】
2010187999.tif 000004
【図３】
2010187999.tif 000005
【図４】
2010187999.tif 000006
【図５】
2010187999.tif 000007
【図６】
2010187999.tif 000008
【図７】
2010187999.tif 000009
【図８】
2010187999.tif 000010
【図９】
2010187999.tif 000011
【図１０】
2010187999.tif 000012